(57)【特許請求の範囲】
【請求項１】
受光面板に入射した光によって電子を放出する光電面を有し、前記光電面から放出した電子を増倍させる電子増倍部を密封容器内に有し、前記電子増倍部で増倍させた電子に基づいて出力信号を送出するアノードをもった光電子増倍管において、
前記密封容器は、
前記電子増倍部及び前記アノードをステムピンを介して固定させるステム板と、
前記電子増倍部及び前記アノードを包囲すると共に、一側の開口端に前記ステム板を固定する金属製の側管と、
前記側管の他側の開口端に融着固定するガラス製の前記受光面板と、により形成され、
前記側管は、複数枚の枠部によって横断面が多角形状の筒体に形成され、前記各枠部の上端は、前記上端の両端が持ち上がるように弓なりに反り上がり、前記各枠部の前記上端を、前記受光面板の前記光電面側に埋設させるように融着固定させたことを特徴とする光電子増倍管。
【請求項２】
前記側管の上端側には、前記受光面板の前記光電面側に埋設させた突き刺し部が設けられていることを特徴とする請求項１記載の光電子増倍管。
【請求項３】
前記突き刺し部の先端部分は、前記側管に沿って真っすぐに延びていることを特徴とする請求項２記載の光電子増倍管。
【請求項４】
前記突き刺し部の先端部分は、内側又は外側に曲げられていることを特徴とする請求項２記載の光電子増倍管。
【請求項５】
前記突き刺し部は、その先端をナイフエッジ状に尖らせていることを特徴とする請求項２〜４のいずれか一項記載の光電子増倍管。
【請求項６】
前記側管の下端側の内壁面を金属製の前記ステム板の縁面に当接させて、金属製の前記側管と金属製の前記ステム板とを溶接したことを特徴とする請求項１〜５のいずれか一項記載の光電子増倍管。
【請求項７】
受光面板に入射した光によって電子を放出する光電面を有し、前記光電面から放出した電子を増倍させる電子増倍部を密封容器内に有し、前記電子増倍部で増倍させた電子に基づいて出力信号を送出するアノードをもった光電子増倍管において、
両端が持ち上がるように弓なりに反り上がった上端を有する複数枚の枠部によって、横断面が多角形状の筒体に形成された側管のコーナー部の上端を、前記受光面板の裏面に当接させる工程と、
前記側管を加熱させて前記受光面板に前記側管の上端を融着させる工程とを備えたことを特徴とする光電子増倍管の製造方法。
【請求項８】
前記側管の上端側には、前記受光面板に埋設させる突き刺し部が設けられていることを特徴とする請求項７記載の光電子増倍管の製造方法。
【請求項９】
前記側管の下端を回転台上に配置させ、前記受光面板を前記側管に押し付けることを特徴とする請求項７又は８記載の光電子増倍管の製造方法。
【発明の詳細な説明】
【０００１】
【発明の属する技術分野】
本発明は、受光面板に入射した微弱な光を電子の増倍によって検出させる構成をもった光電子増倍管及びその製造方法に関するものである。
【０００２】
【従来の技術】
従来、このような分野の技術として、特開平５−２９０７９３号公報がある。この公報に記載された光電子増倍管は、密封容器内に電子増倍部を収容させた構成を有し、この密封容器は、金属製の側管の上端をフランジ状に形成し、このフランジ部を、受光面板の上面に圧着するように固定させており、フランジ部による気密性確保の実効を図っている。そして、側管のフランジ部を受光面板に融着させる場合、側管を加熱しながら行っていた。
【０００３】
【発明が解決しようとする課題】
しかしながら、前述した従来の光電子増倍管及びその製造方法には、次のような課題が存在していた。すなわち、図１８に示すように、側管１００には、その上端で全周に亙って設けられたフランジ部１０１を有し、フランジ部１０１の下面１０１ａと受光面板１０２の上面１０２ａとを当接させるようにして、側管１００と受光面板１０２とを融着接続させていた。この融着にあたって、側管１００を加熱させる必要があるが、側管１００が四角筒形状になっている場合、フランジ部１０１の四つの各コーナー部分での発熱量が他の部分の発熱量よりかなり大きくなる。その結果、フランジ部１０１を受光面板１０２に融着固定させる場合、フランジ部１０１において、各コーナー部分での融着固定状態とコーナー部分以外での融着固定状態とにばらつきが発生する虞れがあり、光電子増倍管製造時の歩留まりを悪化させると共に、熱等によりフランジ部が変形すると、密封容器における一定の気密状態の確保が行い難い場合もあった。
【０００４】
本発明は、上述の課題を解決するためになされたもので、特に、製造時の歩留まりを向上させ、しかも、側管と受光面板との一体化を向上させて密封容器の気密性の向上を図るようにした光電子増倍管及びその製造方法を提供することを目的とする。
【０００５】
【課題を解決するための手段】
請求項１に係る本発明の光電子増倍管は、受光面板に入射した光によって電子を放出する光電面を有し、光電面から放出した電子を増倍させる電子増倍部を密封容器内に有し、電子増倍部で増倍させた電子に基づいて出力信号を送出するアノードをもった光電子増倍管において、密封容器は、電子増倍部及びアノードをステムピンを介して固定させるステム板と、電子増倍部及びアノードを包囲すると共に、一側の開口端にステム板を固定する金属製の側管と、側管の他側の開口端に融着固定するガラス製の受光面板と、により形成され、側管は、複数枚の枠部によって横断面が多角形状の筒体に形成され、各枠部の上端は、この上端の両端が持ち上がるように弓なりに反り上がり、各枠部の上端を、受光面板の光電面側に埋設させるように融着固定させたことを特徴とする。
【０００６】
この光電子増倍管において、複数枚の枠部の端部を接合することによって、側管の上端は多角形に形成されると共に、枠部の接合部分である各コーナー部の上端すなわち枠部の上端の両端は、枠部の上端の中央より高い位置にある。その結果、側管の上端は受光面板内に深く埋設されることになり、側管と受光面板との接合状態の向上に寄与するものである。更に、側管の上端を受光面板に埋設させる結果、側管と受光面板との融着固定が確実となり、融着部分での気密性の向上が図られることになる。
【０００７】
請求項２記載の光電子増倍管において、側管の上端側には、受光面板の光電面側に埋設させた突き刺し部が設けられていると好ましい。この場合、側管に設けられた突き刺し部はガラス製の受光面板に突き刺すように埋め込まれる結果、側管と受光面板との馴染み性向上に寄与し、高気密性の確保が図られる。しかも、側管に設けられた突き刺し部は、フランジ部のように側管から側方に向けて延び出るものではなく、側管から切り立つようにして延びるものであるから、突き刺し部を受光面板の側面に可能な限り近づけるようにして埋設させた場合に、受光面板の有効利用面積を１００％近くまで高めることを可能にし、受光面板のデッドエリアを可能な限りゼロに近づけることができる。
【０００８】
請求項３記載の光電子増倍管において、突き刺し部の先端部分は、側管に沿って真っすぐに延びていると好ましい。このような構成を採用した場合、側管の端部を受光面板内に突き刺し易く、しかも、側管の延長上に突き刺し部が設けられることになるから、受光面板の有効利用面積の確保が促進される。
【０００９】
請求項４記載の光電子増倍管において、突き刺し部の先端部分は、内側又は外側に曲げられていると好ましい。このような構成を採用した場合、受光面板内に埋設させる突き刺し部の表面積を拡大することができ、側管と受光面板との接合部分での気密性の向上に寄与することになる。
【００１０】
請求項５記載の光電子増倍管において、突き刺し部は、その先端をナイフエッジ状に尖らせていると好ましい。このような構成を採用した場合、側管の端部を受光面板に突き刺し易く、ガラス製の受光面板に側管を融着固定させる際に、その組立て作業の向上及び確実性が図られることになる。
【００１１】
請求項６記載の光電子増倍管において、側管の下端側の内壁面を金属製のステム板の縁面に当接させて、金属製の側管と金属製のステム板とを溶接すると好ましい。このような構成を採用した場合、側管の下端の内壁面をステム板の縁面に当接させた状態で、側管とステム板とを溶接固定させる結果、光電子増倍管の下端で、フランジのような張り出しを無くしている。従って、抵抗溶接は行い難いけれども、光電子増倍管の外形寸法の縮小化を可能にし、光電子増倍管を並べて利用する場合でも、側管同士を密に並べることができる。よって、金属製のステム板と金属製の側管とが溶接によって組み付けられた光電子増倍管は、その高密度配列を可能にするものである。
【００１２】
請求項７に係る本発明の光電子増倍管の製造方法は、受光面板に入射した光によって電子を放出する光電面を有し、光電面から放出した電子を増倍させる電子増倍部を密封容器内に有し、電子増倍部で増倍させた電子に基づいて出力信号を送出するアノードをもった光電子増倍管において、両端が持ち上がるように弓なりに反り上がった上端を有する複数枚の枠部によって、横断面が多角形状の筒体に形成された側管のコーナー部の上端を、受光面板の裏面に当接させる工程と、側管を加熱させて受光面板に側管の上端を融着させる工程とを備えたことを特徴とする。
【００１３】
この製造方法においては、両端が持ち上がるように弓なりに反り上がった上端を有する複数枚の枠部によって、横断面が多角形状の筒体に形成された側管を利用する結果、側管と受光面板との組付け時において、側管のコーナー部の上端が受光面板に最初に当たることになる。そして、側管を加熱させると、発熱量の大きいコーナー部から受光面板の溶融が始まり、順次枠部の中央に向けて溶融が進むことになる。従って、加熱された側管による受光面板の溶融初期段階において、先ず、コーナー部の上端が受光面板に融着固定されることになるから、加熱時においても側管の形状保持が確実に行われる。そして、コーナー部の上端の融着時間が他の部分よりも長くなるので、コーナー部の上端でガラスの馴染み性が向上し、その結果、コーナー部の上端でも融着強度が増し、コーナー部の上端で受光面板にクラックが入り難くなる。
【００１４】
請求項８記載の製造方法において、側管の上端側には、受光面板に埋設させる突き刺し部が設けられていると好ましい。このような方法を採用した場合、側管の端部を受光面板内に埋設させや易く、側管と受光面板との接合性の向上に寄与すると共に、作業時間の短縮を可能にする。
【００１５】
請求項９記載の製造方法において、側管の下端を回転台上に配置させ、受光面板を側管に押し付けると好ましい。この場合、側管を回転台上に載せる結果、融着中における側管の加熱ムラを低減させることができる。しかも、受光面板を側管に押し付ける結果、側管と受光面板との馴染み性の向上が図られることになる。
【００１６】
【発明の実施の形態】
以下、図面と共に本発明による光電子増倍管及びその製造方法の好適な実施形態について詳細に説明する。
【００１７】
図１は、本発明に係る光電子増倍管を示す斜視図であり、図２は、図１の断面図である。これら図面に示す光電子増倍管１は、略正四角筒形状の金属製（例えば、コバール金属製やステンレス製）の側管２を有し、この側管２の一側の開口端Ａにはガラス製の受光面板３が融着固定され、この受光面板３の内表面（裏面）には、光を電子に変換する光電面３ａが形成され、この光電面３ａは、受光面板２に予め蒸着させておいたアンチモンにアルカリ金属蒸気を反応させることで形成される。また、側管２の開口端Ｂには、金属製（例えば、コバール金属製やステンレス製）のステム板４が溶接固定されている。このように、側管２と受光面板３とステム板４とによって密封容器５が構成され、この密封容器５は、高さが１０ｍｍ程度の極薄タイプのものである。
【００１８】
また、ステム板４の中央には金属製の排気管６が固定されている。この排気管６は、光電子増倍管１の組立て作業終了後、密封容器５の内部を真空ポンプ（図示せず）によって排気して真空状態にするのに利用されると共に、光電面３ａの形成時にアルカリ金属蒸気を密封容器５内に導入させる管としても利用される。
【００１９】
そして、密封容器５内には、ブロック状で積層タイプの電子増倍器７が設けられ、この電子増倍器７は、１０枚（１０段）の板状のダイノード８を積層させた電子増倍部９を有し、電子増倍器７は、ステム板４を貫通するように設けられたコバール金属製のステムピン１０によって密封容器５内で支持され、各ステムピン１０の先端は各ダイノード８と電気的に接続されている。また、ステム板４には、各ステムピン１０を貫通させるためのピン孔４ａが設けられ、各ピン孔４ａには、コバールガラス製のハーメチックシールとして利用されるタブレット１１が充填され、各ステムピン１０は、タブレット１１を介してステム板４に固定される。なお、各ステムピン１０には、ダイノード用のものとアノード用のものとがある。
【００２０】
更に、電子増倍器７には、電子増倍部９の下方に位置してステムピン１０の上端に固定したアノード１２が並設させられている。また、電子増倍器７の最上段において、光電面３ａと電子増倍部９との間には平板状の収束電極板１３が配置され、この収束電極板１３には、スリット状の開口部１３ａが複数本形成され、各開口部１３ａは一方向にリニアな配列をなす。同様に、電子増倍部９の各ダイノード８には、開口部１３ａと同数のスリット状電子増倍孔８ａが複数本形成され、各電子増倍孔８ａを一方向にリニアで、紙面に垂直な方向に複数配列させている。
【００２１】
そして、各ダイノード８の各電子増倍孔８ａを段方向にそれぞれ配列してなる各電子増倍経路Ｌと、収束電極板１３の各開口部１３ａとを一対一で対応させることによって、電子増倍器７には、複数のチャンネルが形成されることになる。また、電子増倍器７に設けられた各アノード１２は、所定数のチャンネル毎に対応するように８×８個設けられ、各アノード１２を各ステムピン１０にそれぞれ接続させることで、各ステムピン１０を介して外部に個別的な出力をチャンネル毎に取り出している。
【００２２】
このように、電子増倍器７は、複数のリニア型チャンネルを有している。そして、図示しないブリーダ回路に接続した所定のステムピン１０によって、電子増倍部９及びアノード１２には所定の電圧が供給され、光電面３ａと収束電極板１３とは、同じ電位に設定され、各ダイノード８とアノード１２は、上段から順に高電位の設定がなされている。従って、受光面板２に入射した光は、光電面３ａで電子に変換され、その電子が、収束電極板１３と電子増倍器７の最上段に積層されている第１段のダイノード８とによって形成される電子レンズ効果により、所定のチャンネル内に入射することになる。そして、電子の入射したチャンネルにおいて、電子は、ダイノード８の電子増倍経路Ｌを通りながら、各ダイノード８で多段増倍されて、アノード１２に入射し、所定のチャンネル毎に個別的な出力が各アノード１２から送出されることになる。
【００２３】
また、図３に示すように、金属製のステム板４と金属製の側管２とを気密溶接するにあたって、ステム板４を側管２の開口端Ｂから挿入し、側管２の下端２ａの内壁面２ｃをステム板４の縁面４ｂに当接させ、電子増倍管１の下端でフランジのような側方への張り出しを無くしている。この状態で、接合部分Ｆに対し、外側の真下あるいは接合部分を狙える方向からレーザビームを照射し、接合部分Ｆをレーザ溶接する。
【００２４】
このように、光電子増倍管１の下端で、フランジのような張り出しを無くす結果、抵抗溶接は行い難いけれども、光電子増倍管１の外形寸法の縮小化を可能にし、光電子増倍管１を並べて利用する場合でも、デッドスペースを可能な限り排除することができ、側管２同士を密に配列させることができる。よって、金属製のステム板４と金属製の側管２との接合にレーザ溶接を採用することは、光電子増倍管１の薄型化及びその高密度配列化を可能にする。
【００２５】
このようなレーザ溶接は融接法の一例であり、この融接法を利用し、側管２をステム板４に溶接固定する場合、抵抗溶接と異なり、側管２とステム板４との接合部分Ｆに圧力を加える必要がないので、接合部分Ｆに残留応力が発生することがなく、使用中においても接合箇所に亀裂が発生し難く、耐久性及び気密シール性の著しい向上が図られる。なお、融接法のうちでも、レーザ溶接や電子ビーム溶接は、抵抗溶接に比して、接合部分Ｆでの熱の発生を小さく抑えることができる。従って、光電子増倍管１の組立てにあたって、密封容器５内に配置させた各構成部品に対する熱への影響が極めて少なくなる。
【００２６】
ここで、高さ７ｍｍ程度の側管２は、図４に示すように、コバール金属やステンレス等からなる０．２５ｍｍの肉厚を有する４枚の板状の枠部８０によって、横断面が四角形状の筒体に形成されている。各枠部８０は、両端が持ち上がるようにして弓なりに反っている。そして、これら枠部８０同士の接合部をなすコーナー部８１は、仮想平面Ｓに対して０．１ｍｍ程度の高さ寸法Ｐをもって反り上がる。その結果、各コーナー部８１の上端８１ａは、各枠部８０の中央より高くなる。また、矩形の受光面板３の有効利用面積を極限まで高めるために、コーナー部８１には、Ｒ１．５ｍｍといった極めて小さなアール形状のエッジ処理が施されている。
【００２７】
このような反り上がった側管２は、コバール金属等からなる一枚の平板をプレス成形したり、４枚の枠部８０をレーザ溶接等で接合させたりして製作すると好適である。なお、側管２の肉厚が０．２５ｍｍ程度の極めて薄いものである場合には、平板のプレス成形によってアーチ状に反ったものが結果物として作り出されることになり、各枠部８０を弓なりに反らせるような後加工の必要がない。
【００２８】
このような反り上がった側管２の一側の開口端Ａには、ガラス製の受光面板３が融着固定されている。図５に示すように、側管２において、枠部８０の受光面板３側の先端部分（上端）８０ａには、高周波加熱によって、受光面板３の光電面３ａ側に溶融埋設させる突き刺し部２０が設けられている。この突き刺し部２０は、側管２の上端の全周に亙って設けられると共に、その側管２の外壁面２ｂ側に位置するＲ形状部２０ａを介して、内側に押し曲げられるようにして形成されている。そして、突き刺し部２０の先端２０ｂは、ナイフエッジ状に尖らせてある。従って、側管２の上端を受光面板３に突き刺し易く、ガラス製の受光面板３に側管２を融着固定させる際に、その組立て作業の向上及び確実性が図られることになる。
【００２９】
次に、前述した光電子増倍管１の製造方法について説明する。
【００３０】
図６に示すように、先ず、モータ等の駆動装置によって所定速度で回転するセラミックス製の回転台９０の上面９０ａに側管２を配置させる。このとき、各枠部８０が反り上がるようにして、側管２を回転台９０上に載置させる。その後、受光面板３の裏面３ｆを側管２上に配置させるが、受光面板３は、コーナー部８１の上端８１ａによって４点支持されることになる。このとき、受光面板３の受光面３ｄを、加圧治具９１により受光面板３の中央を上から押えつけた状態にしておく。この状態で、高周波加熱装置９２を作動させると同時に、側管２の加熱ムラに起因した融着ムラを無くすために、回転台９０をゆっくりと回転させる。すると、図７に示すように、側管２と受光面板３との一体化が図られることになる。
【００３１】
この場合、加熱された側管２の突き刺し部２０は、ガラス製の受光面板３を徐々に溶かしながら突き進むことになる。その結果、図８に示すように、受光面板３の下端縁に膨出部３ｂを形成しながら、側管２の突き刺し部２０が受光面板３に埋設され、受光面板３と側管２との接合部分で高気密性が確保される。
【００３２】
このような膨出部３ｂは、突き刺し部２０の近傍で受光面板３の側面３ｃの一部に発生するだけであり、受光面板３の側面３ｃ全体に亙った面ダレを引き起こすものではない。従って、受光面３ｄの縁形状に悪影響を与えることがなく、平滑化が図られている受光面板３の形状を確実に維持させることができる。
【００３３】
また、突き刺し部２０は、フランジ部のように側管２から側方に向けて延び出るものではなく、側管２から切り立つようにして延びるものであるから、突き刺し部２０を受光面板３の側面３ｃに可能な限り近づけるようにして埋設させると、受光面板３の有効利用面積を１００％近くまで高めることができ、受光面板３のデッドエリアを可能な限りゼロに近づけることができる。更に、突き刺し部２０は、内側に曲げられるように形成する結果、受光面板３内に埋設させる突き刺し部２０の表面積の拡大化が図られ、側管２と受光面板３との接合面積を大きくすることができ、密封容器５の気密性の向上に寄与することになる。なお、突き刺し部２０は、０．１ｍｍ程度の僅かな突出量Ｈをもって内側に張り出しており、これはプレス加工によって作り出すと適切である。
【００３４】
このような融着固定にあたって、側管２のコーナー部８１の上端８１ａが受光面板３に最初に当たることになる。そして、側管２が加熱されると、発熱量の大きいコーナー部８１から受光面板３の溶融が始まり、順次、枠部８０の中央に向けて溶融が行われることになる。従って、側管２による受光面板３の溶融初期において、先ず、コーナー部８１の上端８１ａが受光面板３に融着されるから、加熱時においても側管２の正方形状の保持を確実なものにする。そして、コーナー部８１の上端８１ａの融着時間が他の部分よりも長くなるので、図９に示すように、受光面板３の下端縁にダレ部３ｅを形成しながら、コーナー部８１の上端８１ａでガラスの馴染みが向上することになる。その結果、コーナー部８１において、受光面板３と側管２との接合部分で高気密性が確保されると同時に、コーナー部８１の上端８１ａで受光面板３にクラックが入り難くなる。
【００３５】
このようして受光面板３と側管２との一体化が図られた後、図１０に示すように、ステムピン１０を介して、ステム板４上にアノード１２及び電子増倍器７を組み付けた組立体Ｋを、側管２の開口端Ｂ側から挿入する。そして、図１１に示すように、ステム板４と側管２との一体化を図る。この場合、図１２に示すように、各枠部８０の下端８０ｂは、反り上がるように形成されており、この状態で、金属製のステム板４と金属製の側管２とを気密溶接するにあたって、ステム板４の下面から枠部８０の下端８０ｂが突出しないような状態でレーザ溶接が行われると好適である。これは、枠部８０の下端８０ｂの反り具合に応じて、ステム板４の厚みを適宜選択することにより可能となる。
【００３６】
このようにして組立てられた後、開放させた排気管６（図１０参照）を介して、密封容器５の内部を真空ポンプ（図示せず）によって真空状態に維持させる。そして、アルカリ金属蒸気を排気管６から装填して、受光面板３に光電面３ａを形成させた後、排気管６を封鎖する（図１１参照）。
【００３７】
本発明に係る光電子増倍管は、前述した実施形態に限定されるものではなく、以下のような変形も可能である。
【００３８】
例えば、図１３に示すように、側管２Ａの受光面板３側の先端部分（上端）には、高周波加熱によって、受光面板３の光電面３ａ側に溶融埋設させる突き刺し部３０が設けられている。この突き刺し部３０は、側管２Ａの上端の全周に亙って設けられると共に、その内壁面２ｃ側に位置するＲ形状部３０ａを介して、外側に押し曲げられるようにして形成されている。そして、突き刺し部３０の先端３０ｂは、ナイフエッジ状に尖らせてある。従って、側管２Ａの上端を受光面板３０に突き刺し易く、ガラス製の受光面板３に金属製の側管２Ａを融着固定させる際に、その組立て作業の向上及び確実性が図られることになる。この場合、受光面板３の下端縁に膨出部３ｂを形成しながら、側管２Ａの突き刺し部３０が受光面板３に埋設され、受光面板３と側管２Ａとの接合部分での高気密性が確保される。
【００３９】
更に、突き刺し部３０は、外側に曲げられるように形成する結果、受光面板３内に埋設させる突き刺し部３０の表面積の拡大化が図られ、側管２Ａと受光面板３との接合面積を大きくすることができ、密封容器５の気密性の向上に寄与することになる。なお、突き刺し部３０は、０．１ｍｍ程度の僅かな突出量Ｈをもって外側に張り出しており、これはプレス加工によって作り出すと適切である。
【００４０】
また、図１４に示すように、突き刺し部４０を側管２Ｂに沿って真っすぐに立ち上げてもよい。この場合、突き刺し部４０は、側管２Ｂの延長上に位置し、側管２Ｂを端切り加工しただけの最もシンプルな形状になっている。なお、突き刺し部４０の表面積の拡大及びガラスの馴染み性を向上させるために、突き刺し部４０の先端を丸めるようにしてもよい。
【００４１】
また、図１５に示すように、突き刺し部５０は、側管２Ｃに沿って真っすぐに延在し、両刃のナイフエッジ状に尖らせてもよい。この場合、側管２Ｃを融着固定させるに当たって、側管２Ｃを、受光面板３内に極めて差し込み易くすることができる。
【００４２】
また、図１６に示すように、突き刺し部６０は、側管２Ｄに沿って真っすぐに延在し、片刃のナイフエッジ状に尖らせてもよい。この場合、突き刺し部６０の表面積の拡大及びガラスの馴染み性の向上のために、突き刺し部６０には、側管２Ｄの内壁面２ｃ側にＲ形状部６０ａが設けられている。同様に、図１７に示すように、突き刺し部７０は、側管２Ｅに沿って真っすぐに延在し、片刃のナイフエッジ状に尖らせてもよい。この場合、突き刺し部７０には、側管２Ｅの外壁面２ｂ側にＲ形状部７０ａが設けられている。
【００４３】
本発明に係る光電子増倍管は、前述した実施形態に限定されるものではない。例えば、側管２は、その横断面形状を三角形、長方形、六角形や八角形等の多角形状にした筒体あればよく、突き刺し部の形状としては、断面ボール状であっても断面矢じり状であってもよい。
【００４４】
【発明の効果】
本発明による光電子増倍管は、以上のように構成されているため、次のような効果を得る。すなわち、受光面板に入射した光によって電子を放出する光電面を有し、光電面から放出した電子を増倍させる電子増倍部を密封容器内に有し、電子増倍部で増倍させた電子に基づいて出力信号を送出するアノードをもった光電子増倍管において、密封容器は、電子増倍部及びアノードをステムピンを介して固定させるステム板と、電子増倍部及びアノードを包囲すると共に、一側の開口端にステム板を固定する金属製の側管と、側管の他側の開口端に融着固定するガラス製の受光面板と、により形成され、側管は、複数枚の枠部によって横断面が多角形状の筒体に形成され、各枠部の上端は、この上端の両端が持ち上がるように弓なりに反り上がり、各枠部の上端を、受光面板の光電面側に埋設させるように融着固定させたことにより、製造時の歩留まりを向上させ、しかも、側管と受光面板との一体化を向上させて密封容器の気密性を向上させることができる。
【００４５】
また、本発明による光電子増倍管の製造方法は、受光面板に入射した光によって電子を放出する光電面を有し、光電面から放出した電子を増倍させる電子増倍部を密封容器内に有し、電子増倍部で増倍させた電子に基づいて出力信号を送出するアノードをもった光電子増倍管において、両端が持ち上がるように弓なりに反り上がった上端を有する複数枚の枠部によって、横断面が多角形状の筒体に形成された側管のコーナー部の上端を、受光面板の裏面に当接させる工程と、側管を加熱させて受光面板に側管の上端を融着させる工程とを備えたことにより、光電子増倍管の製造時の歩留まりを向上させ、しかも、側管と受光面板との一体化を向上させて密封容器の気密性を向上が図られる。
【図面の簡単な説明】
【図１】本発明に係る光電子増倍管の一実施形態を示す斜視図である。
【図２】図１のＩＩ−ＩＩ線に沿う断面図である。
【図３】図２の要部拡大断面図である。
【図４】本発明に係る光電子増倍管に適用する側管を示す斜視図である。
【図５】図４の側管の上端を示す要部拡大断面図である。
【図６】側管と受光面板との接合方法を示す正面図である。
【図７】側管と受光面板との接合後の状態を示す斜視図である。
【図８】図７におけるＡ断面の要部拡大図である。
【図９】図７におけるＢ断面の要部拡大図である。
【図１０】組立体を側管の開口端側から挿入させている状態を示す正面図である。
【図１１】光電子増倍管の組立て完了後の状態を示す正面図である。
【図１２】図１１の要部拡大図である。
【図１３】本発明に係る光電子増倍管に適用する側管の他の変形例を示す要部拡大断面図である。
【図１４】本発明に係る光電子増倍管に適用する側管の更に他の変形例を示す要部拡大断面図である。
【図１５】本発明に係る光電子増倍管に適用する側管の更に他の変形例を示す要部拡大断面図である。
【図１６】本発明に係る光電子増倍管に適用する側管の更に他の変形例を示す要部拡大断面図である。
【図１７】本発明に係る光電子増倍管に適用する側管の更に他の変形例を示す要部拡大断面図である。
【図１８】従来の光電子増倍管に適用する側管を示す要部拡大断面図である。
【符号の説明】
１…光電子増倍管、２，２Ａ，２Ｂ，２Ｃ，２Ｄ，２Ｅ…側管、２ｃ…内壁面、３…受光面板、３ａ…光電面、３ｆ…受光面板の裏面、４…ステム板、４ｂ…ステム板の縁面、５…密封容器、９…電子増倍部、１０…ステムピン、１２…アノード、２０，３０，４０，５０，６０，７０…突き刺し部、８０…枠部、８０ａ…枠部の上端、８１…コーナー部、８１ａ…コーナー部の上端、９０…回転台、Ａ，Ｂ…側管の開口端。
【図１】
0004132305.tif 000002
【図２】
0004132305.tif 000003
【図３】
0004132305.tif 000004
【図４】
0004132305.tif 000005
【図５】
0004132305.tif 000006
【図６】
0004132305.tif 000007
【図７】
0004132305.tif 000008
【図８】
0004132305.tif 000009
【図９】
0004132305.tif 000010
【図１０】
0004132305.tif 000011
【図１１】
0004132305.tif 000012
【図１２】
0004132305.tif 000013
【図１３】
0004132305.tif 000014
【図１４】
0004132305.tif 000015
【図１５】
0004132305.tif 000016
【図１６】
0004132305.tif 000017
【図１７】
0004132305.tif 000018
【図１８】
0004132305.tif 000019